(57)【要約】【課題】人目を気にしながら侵入しようとする者の警戒心を高めると同時に、敷地３内に居る家人の視野を広げ又は家人の死角を減少させて、家人の監視可能範囲を広げる。【解決手段】エントランスポール１１は、住宅の戸外であって住宅に隣接する道路２に面する箇所に設置され、エントランスポール１１の外面のうち少なくとも二側面各々に設けられた第１のミラー２２及び第２のミラー２３を備え、第１のミラー２２は道路２上の人から見て当該人の姿を映し出すように向けられ、第２のミラー２３は住宅の敷地３内から見て道路２及び住宅への往来に使用する敷地内の通路６を映し出すように向けられている。【選択図】図２
2009237133.tif 000002
【特許請求の範囲】
【請求項１】
住宅の戸外であって前記住宅に隣接する道路に面する箇所に設置されるミラー装置であって、
前記ミラー装置の外面のうち少なくとも二側面各々に設けられた第１のミラー及び第２のミラーを備え、
前記第１のミラーは前記道路上の人から見て当該人の姿を映し出すように向けられ、前記第２のミラーは前記住宅の敷地内から見て前記道路を映し出すように向けられている
ことを特徴とするミラー装置。
【請求項２】
前記第２のミラーは凸面鏡であることを特徴とする請求項１に記載のミラー装置。
【請求項３】
鉛直方向に伸びる回転軸を中心として前記第２のミラーを回転させるミラー回転部を更に備えることを特徴とする請求項１又は２のいずれかに記載のミラー装置。
【発明の詳細な説明】
【技術分野】
【０００１】
本発明は、住宅の戸外であって住宅に隣接する道路に面する箇所に設置されるミラー装置に関する。
【背景技術】
【０００２】
住宅などの玄関先や庭先に設置される、訪問者を戸内に案内を請うための呼び鈴やドアホン装置を備えるエントランスポールが知られている。このエントランスポールは、例えば、柱状の筐体の頂部に照明ランプを備え付け、夜間の訪問者のために周囲をライトアップする。
【０００３】
しかし、この照明ランプはエントランスポール自体を照明しないので、筐体の側面に備え付けたドアホン装置や呼び鈴の位置を訪問者が確認しづらいという問題があった。
【０００４】
そこで、頂部に照明ランプを備え、壁面にドアホン装置を設けたエントランスポールにおいて、裏面が反射面である反射板がドアホン装置よりも上方に固定され、照明ランプの光が反射板で反射してドアホン装置に照射されるものが提案されている（特許文献１参照）。これにより、ドアホン装置の位置や操作盤などを容易に確認することが可能となる。
【特許文献１】特開平０８−２６０７５７号公報
【発明の開示】
【発明が解決しようとする課題】
【０００５】
ところで、住宅の戸外に設置された鏡は、人目を気にしながら侵入しようとする者の警戒心を高め、侵入を思い留まらせる一定の効果（侵入抑止効果）を有する。しかし、上記のエントランスポールが有する反射板の表面には反射面は形成されていないので、上記の効果が得られない。
【０００６】
本発明は、上記問題点を解決するために成されたものであり、その目的は、人目を気にしながら侵入しようとする者の警戒心を高めると同時に、敷地内に居る家人の視野を広げ又は家人の死角を減少させて、家人の監視可能範囲を広げるミラー装置を提供することである。
【課題を解決するための手段】
【０００７】
本発明の特徴は、住宅の戸外であって住宅に隣接する道路に面する箇所に設置されるミラー装置であって、ミラー装置はミラー装置の外面のうち少なくとも二側面各々に設けられた第１のミラー及び第２のミラーを備え、第１のミラーは道路上の人から見て当該人の姿を映し出すように向けられ、第２のミラーは住宅の敷地内から見て道路を映し出すように向けられていることである。
【０００８】
本発明の特徴によれば、第１のミラーが道路上の人から見て当該人の姿を映し出すように向けられているので、人目を気にしながら侵入しようとする者は、道路上において第１のミラーに映し出される自分自身の姿を見て警戒心を高め、侵入を思い留めさせるなどの侵入抑止効果が得られる。また、第２のミラーは住宅の敷地内から見て道路を映し出すように向けられているので、敷地内に居る家人の視野が広がり又は当該家人の死角が減少し、家人の監視可能範囲を広げることができる。また同時に、人目を気にしながら侵入しようとする者は、第２のミラーによって敷地内から監視されているという警戒心を高め、侵入抑止効果が得られる。
【０００９】
本発明の特徴において、第２のミラーは凸面鏡であってもよい。これにより、家人の監視可能範囲が更に広がり、侵入抑止効果も高まる。
【００１０】
本発明の特徴において、ミラー装置は、鉛直方向に伸びる回転軸を中心として第２のミラーを回転させるミラー回転部を更に備えていてもよい。これにより、家人の監視可能範囲が更に広がり、侵入抑止効果も高まる。
【発明の効果】
【００１１】
本発明のミラー装置によれば、人目を気にしながら侵入しようとする者の警戒心を高めると同時に、敷地内に居る家人の視野を広げ又は家人の死角を減少させて、家人の監視可能範囲を広げることができる。
【発明を実施するための最良の形態】
【００１２】
以下図面を参照して、本発明の実施形態を説明する。図面の記載において同一部分には同一符号を付して説明を省略する。
【００１３】
先ず、図１を参照して、本発明の実施の形態に係わるエントランスポール１１の設置例を説明する。エントランスポール１１は、本発明のミラー装置の一実施例である。エントランスポール１１は、住宅１の戸外であって住宅１に隣接する道路２（前面道路）に面する箇所に設置される。具体的には、敷地３内に住宅１が建築され、敷地３の一端が道路２に面している。住宅の出入り口（玄関）に玄関扉４が取り付けられ、住宅１への往来に使用する通路６が玄関扉４と道路２とを繋ぐように敷地３内に形成されている。
【００１４】
エントランスポール１１は、住宅１の戸外であって道路２に面する敷地３の一端に設置され、また同時に、エントランスポール１１は通路６にも面している。このように、エントランスポール１１は、住宅１の戸外であって、敷地３に隣接する道路２及び住宅１への往来に使用する通路６に同時に面する敷地３の一端に設置されている。
【００１５】
道路２に面する敷地３の一端のうち、通路６及びエントランスポール１１が設けられていない部分には生垣５が設置されている。
【００１６】
次に、図２を参照して、図１のエントランスポール１１の概略構成を説明する。エントランスポール１１の外面のうち少なくとも二側面各々に第１のミラー２２及び第２のミラー２３が設けられている。具体的に、エントランスポール１１は、道路２に面する第１の側面を有する筐体２１と、通路６に面する第２の側面を有する可動部２５と、筐体２１の第１の側面に設けられた道路側ミラー２２（第１のミラー）と、可動部２５の第２の側面に設けられた通路側ミラー２３（第２のミラー）とを備える。
【００１７】
道路側ミラー２２は、道路２に面する第１の側面に設けられているので、道路２上の人から見て当該人の姿を映し出すことができる。通路側ミラー２３は、通路６に面する第２の側面に設けられているので、住宅１の敷地３内から見て道路２及び通路６を映し出すことができる。
【００１８】
通路側ミラー２３は、球面、擬似球面、楕円体又は自由曲面の外側を反射面とする凸面鏡である。これにより、広い範囲を映し出すことが出来る。一方、道路側ミラー２２は反射面が平坦をなす鏡（＝平面鏡）である。
【００１９】
なお、ここでは、筐体２１及び可動部２５各々の一側面にミラー（２２、２３）が設けられている場合について説明するが、筐体２１の他の側面や可動部２５の他の側面にも他のミラーが設けられていても構わない。
【００２０】
筐体２１は地面に固定され、可動部２５は、鉛直方向に伸びる任意の回転軸を中心として筐体２１に対して回転する。
【００２１】
次に、図３（ａ）及び図３（ｂ）を参照して、可動部２５の動作及び駆動方法について説明する。エントランスポール１１は、鉛直方向に伸びる回転軸３７を中心として通路側ミラー２３を回転させるためのミラー回転部３１を更に備える。ミラー回転部３１は、ピストンがシリンダー内を往復運動する駆動部３２と、一端がピストンに接続されたロッド３３とを備える。駆動部３２は、油圧などの方法でピストンに力を加えてピストンをシリンダー内で往復運動させる。ピストンに加わる力はロッド３３に伝達される。ロッド３３の他端にはスライダ３４が形成され、可動部２５には直線状の細長い穴（＝スロット３６）が形成されている。スライダ３４は、スロット３６内に挿入されてスロット３６内を自由に移動することができる。
【００２２】
また、筐体２１と可動部２５は、鉛直方向に延びる回転軸３７によって接続され、可動部２５は、回転軸３７を中心として筐体２１に対して回転する。回転軸３７は、例えば、筐体２１の第１の側面と可動部２５の第２の側面が交差する部分に設ければよいが、その他の部分であっても構わない。
【００２３】
図３（ａ）はロッド３３が延びている状態を示し、図３（ｂ）はロッド３３が縮んでいる状態を示す。可動部２５は、ロッド３３が延びた状態で筐体２１の外部に位置する。この状態からロッド３３が縮むと、スライダ３４がスロット３６内を移動しながら可動部２５に力を伝達し、可動部２５が回転軸３７を中心として時計方向に回転して、可動部２５の一部が筐体２１の内部に収納される。したがって、可動部２５の第２の側面に形成された通路側ミラー２３は、ロッド３３の伸縮によって、可動部２５と共に回転軸３７を中心として時計方向に回転する。
【００２４】
ミラー回転部３１は、常時、ピストンを往復運動させてもよいし、所定のインターバルをおきながら往復運動させても構わない。これにより、可動部２５及び第２のミラー２３は、図３（ａ）の状態と図３（ｂ）の状態との間で、常時或いはインターバルをおいて、往復運動することになる。
【００２５】
次に、図４（ａ）及び図４（ｂ）を参照して、図１に示したエントランスポール１１による効果を説明する。図４（ａ）は、玄関に居る人が直接見ることができる視界ＶPを示す。図４（ｂ）は、エントランスポール１１を設置した状態で、玄関に居る人が直接見ることができる視界ＶP及びエントランスポール１１を介して見ることができる視界ＶQ1、ＶQ2を示す。
【００２６】
図４（ａ）に示すように、エントランスポール１１を設置していない場合、玄関に居る人が見ることができる視界ＶPは、直接見える範囲と限られてしまう。これに対して、図１に示したように、エントランスポール１１を、住宅１の戸外であって、敷地３に隣接する道路２及び住宅１への往来に使用する通路６に同時に面する敷地３の一端に設置する。これにより、図４（ｂ）に示すように、エントランスポール１１の通路６に面する側面に設置された通路側ミラー２３に、住宅１と生垣５の間の敷地３や生垣５により隠れていた道路２の様子が映し出される。よって、エントランスポール１１によれば、これまで見えなかった住宅１と生垣５の間の敷地３、及び生垣５により隠れていた道路２にまで視界（ＶQ1、ＶQ2）が広がる。
【００２７】
以上説明したように、本発明の実施の形態によれば、以下の作用効果が得られる。
【００２８】
道路側ミラー２２が道路２上の人から見て当該人の姿を映し出すように向けられているので、人目を気にしながら侵入しようとする者は、道路２上において道路側ミラー２２に映し出される自分自身の姿を見て警戒心を高め、侵入を思い留めさせるなどの侵入抑止効果が得られる。また、通路側ミラー２３は住宅１の敷地３内から見て道路２及び住宅１への往来に使用する敷地３内の通路６を映し出すように向けられているので、敷地３内に居る家人の視野が広がり又は当該家人の死角が減少し、家人の監視可能範囲を広げることができる。また同時に、人目を気にしながら侵入しようとする者は、通路側ミラー２３によって敷地３内から監視されているという警戒心を高め、侵入抑止効果が得られる。
【００２９】
通路側ミラー２３を凸面鏡とすることにより、家人の監視可能範囲が更に広がり、侵入抑止効果も高まる。
【００３０】
ミラー回転部３１を用いて、通路側ミラー２３を鉛直方向に伸びる回転軸３７を中心として回転させることにより、家人の監視可能範囲が更に広がり、侵入抑止効果も高まる。
【００３１】
上記のように、本発明は、１つの実施形態によって記載したが、この開示の一部をなす論述及び図面はこの発明を限定するものであると理解すべきではない。この開示から当業者には様々な代替実施の形態、実施例及び運用技術が明らかとなろう。
【００３２】
可動部２５及び第２のミラー２３が、図３（ａ）の状態と図３（ｂ）の状態との間で、常時或いはインターバルをおいて往復運動する場合を説明したが、可動部２５及び第２のミラー２３を、人が居る方向に向かせるなど、人の存在や動きに合わせて動作させても構わない。この場合、ミラー装置が人感センサを備えるか、或いは人感センサを備える人位置検出装置にミラー装置が接続されていればよい。人感センサが検出した人の存在及び位置に応じてミラー回転部３１の駆動を制御することにより、人感センサが検出した人の存在及び位置に応じて第２のミラー２３の向きを変化させることができる。よって、人目を気にしながら侵入しようとする者は、自らに反応して向きが変化する第２のミラー２３の存在によって、敷地３内から監視されているという警戒心を高め、侵入抑止効果が得られる。
【００３３】
エントランスポール１１が筐体２１及び可動部２５を備える場合を説明したが、エントランスポールは可動部２５を備えず、筐体の少なくとも二側面各々に第１及び第２のミラーを設けても構わない。
【００３４】
通路側ミラー２３を回転運動させる場合について説明したが、通路側ミラー２３は回転させずに固定されていても構わない。この場合、通路側ミラー２３は、住宅１の敷地３内から見て道路２及び住宅１への往来に使用する敷地３内の通路６を映し出すように向けて固定されることが望ましい。
【００３５】
通路側ミラー２３が凸面鏡である場合について説明したが、これに限らず、平面鏡であっても構わない。
【００３６】
本発明のミラー装置の一実施例として、住宅１の戸外であって、敷地３に隣接する道路２及び住宅１への往来に使用する通路６に同時に面する敷地３の一端に設置されるエントランスポール１１について説明したが、これに限定されない。住宅１の戸外であって通路６に面していない敷地３の一端に設置されるミラー装置であっても構わない。例えば、図１の例において生垣５が無い場合、生垣５の代わりに通路６から離れた位置に、エントランスポール１１と同じ構成のミラー装置を設置しても構わない。このような設置例によっても、道路２上の人から見て当該人の姿を映し出すように道路側ミラー２２を向け、且つ住宅１の敷地３内から見て道路２を映し出すように通路側ミラー２３を向けることにより、人目を気にしながら侵入しようとする者の警戒心を高め、侵入を思い留めさせるなどの侵入抑止効果が得られると同時に、敷地３内に居る家人の視野が広がり又は当該家人の死角が減少し、家人の監視可能範囲を広げることができる。
【００３７】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００３８】
【図１】本発明の実施の形態に係わるエントランスポール１１の設置例を示す平面図である。
【図２】図１のエントランスポール１１及びその周辺を部分的に拡大した平面図である。
【図３】図３（ａ）及び図３（ｂ）は、図２のエントランスポール１１の内部構成を示す上面図であって、可動部２５の動作及び駆動方法を説明するための図である。
【図４】玄関に居る人が戸外を見た時の視界を示す平面図であり、図４（ａ）は玄関に居る人が直接見ることができる視界ＶPを示し、図４（ｂ）はエントランスポール１１を用いることにより更に見ることができる視界ＶQ1、ＶQ2を示す。
【符号の説明】
【００３９】
１…住宅
２…道路
３…敷地
４…玄関扉
５…生垣
６…通路
１１…エントランスポール（ミラー装置）
２１…筐体
２２…道路側ミラー（第１のミラー）
２３…通路側ミラー（第２のミラー）
２５…可動部
３１…ミラー回転部
３２…駆動部
３３…ロッド
３４…スライダ
３６…スロット
３７…回転軸
【図１】
2009237133.tif 000003
【図２】
2009237133.tif 000004
【図３】
2009237133.tif 000005
【図４】
2009237133.tif 000006